(57)【要約】【課題】  接続機器の変化に柔軟に対応できる機器制御装置を提供する。【解決手段】  この機器制御装置１は、インターネット６と接続可能なＬＡＮポートと、接続される機器２，３の制御信号線と状態監視線の接続口と、前記接続口により接続されている機器の機器情報の手入力を受け付けて保存する設定情報保持手段４と、前記設定情報保持手段に保存された機器情報を、前記インターネット上の機器情報を管理するデータベースを有するサーバ７に送信し、該当する機器の機器情報を当該サーバから取得する機器情報取得手段と、前記機器情報取得手段の取得した機器情報を、前記設定情報保持手段に保存されている該当機器の機器情報と照合し、不足部分を補完登録する設定情報補完手段とを備えている。【選択図】      図４
2006140802.tif 000002
【特許請求の範囲】
【請求項１】
インターネットと接続可能なＬＡＮポートと、
接続される機器の制御信号線と状態監視線の接続口と、
前記接続口により接続されている機器の機器情報の手入力を受け付けて保存する設定情報保持手段と、
前記設定情報保持手段に保存された機器情報を、前記インターネット上の機器情報を管理するデータベースを有するサーバに送信し、該当する機器の機器情報を当該サーバから取得する機器情報取得手段と、
前記機器情報取得手段の取得した機器情報を、前記設定情報保持手段に保存されている該当機器の機器情報と照合し、不足部分を補完登録する設定情報補完手段とを備えた機器制御装置。
【請求項２】
新たな機器の接続時に当該機器の接続ポート番号と区分名とのみを入力して前記設定情報保持手段に登録し、前記サーバとの通信によって該当機器のメーカ名、型式名を取得して当該設定情報保持手段に補完登録することを特徴とする請求項１に記載の機器制御装置。
【発明の詳細な説明】
【技術分野】
【０００１】
本発明は、インターネット上の中央サーバと接続され、当該サーバと連携して宅内機器を集中管理する機器制御装置に関する。
【背景技術】
【０００２】
宅内の機器制御装置に接続される住宅設備機器の設定情報を、機器制御装置単体で保持するとともにインターネット上の中央サーバと連携し接続機器情報を自動的に更新することで、各住宅設備機器の設定、管理を簡便に行える機器制御装置が知られている。
【０００３】
ところが、従来の機器制御装置では次のような問題点があった。図５は従来の機器制御装置の構成を示している。例えば、ＪＥＭ−Ａ端子を用いて電気錠１２のような住宅設備機器を接続した制御装置１１では、機器のＯＮ／ＯＦＦや施錠信号の受付信号線を有するのみであり、接続機器の名称等の情報は接続されている機器１２，１３から取得することはできない。このため、制御装置１１は接続されている設備機器１２，１３の接続ポート番号や機器名称を固定することで管理しており、接続機器が変化した場合に柔軟に対応することができない問題点があった。
【発明の開示】
【発明が解決しようとする課題】
【０００４】
本発明は、上述のような従来技術の問題点に鑑みてなされたものであり、接続機器の変化に柔軟に対応できる機器制御装置を提供することを目的とする。
【課題を解決するための手段】
【０００５】
請求項１の発明の機器制御装置は、インターネットと接続可能なＬＡＮポートと、接続される機器の制御信号線と状態監視線の接続口と、前記接続口により接続されている機器の機器情報の手入力を受け付けて保存する設定情報保持手段と、前記設定情報保持手段に保存された機器情報を、前記インターネット上の機器情報を管理するデータベースを有するサーバに送信し、該当する機器の機器情報を当該サーバから取得する機器情報取得手段と、前記機器情報取得手段の取得した機器情報を、前記設定情報保持手段に保存されている該当機器の機器情報と照合し、不足部分を補完登録する設定情報補完手段とを備えたものである。
【０００６】
請求項２の発明は、請求項１の機器制御装置において、新たな機器の接続時に当該機器の接続ポート番号と区分名とのみを入力して前記設定情報保持手段に登録し、前記サーバとの通信によって該当機器のメーカ名、型式名を取得して当該設定情報保持手段に補完登録することを特徴とするものである。
【発明の効果】
【０００７】
本発明によれば、制御信号線と状態監視線でしか接続できない接続機器に対して使用者が理解できる名称で制御、監視が可能となり、またその接続機器の設定時にサーバのマスターデータを参照することができるために誤入力を防ぎ、正確な情報で管理することができる。さらに、サーバ上で該当機器の情報を管理、修正することができ、制御信号線と状態監視線でしか接続できない接続機器群でも集中管理できる。
【発明を実施するための最良の形態】
【０００８】
以下、本発明の実施の形態を図に基づいて詳説する。図１に本発明の１つの実施の形態のネットワークシステムの構成を示している。家庭内に取り付けられている接続機器として電気錠２とエアコン３がＪＥＭ−Ａ端子によりホームゲートウェイ（制御装置）１に接続されている。このホームゲートウェイ１はＬＡＮポートを有し、モデム５を介してインターネット６上の中央サーバ７、また宅内のパソコン１０と通信可能となっている。中央サーバ７は機器情報マスタデータベース８と、機器情報管理データベース９を備えている。
【０００９】
上記構成のネットワークシステムによる接続機器の情報設定手順について説明する。まず、ホームゲートウェイ１に電気錠２とエアコン３をＪＥＭ−Ａ端子を用いて結線し、ホームゲートウェイ１を起動させる。電気錠２とエアコン３はＪＥＭ−Ａ端子で接続されており、接続機器の型名等をホームゲートウェイ１に通知する手段を持っていないため、使用者がパソコン１０を用いて、接続する機器２，３の設定情報４をホームゲートウェイ１に登録する。
【００１０】
図２は設定情報４の内容を表した表である。設定情報４は、具体的には接続しているＪＥＭ−Ａ端子のポート番号、機器名、メー力名、型番等で、この設定情報４をホームゲートウェイ１に保存する。
【００１１】
図３は設定情報４をホームゲートウェイ１に入力するときの入力例である。使用者は、パソコン１０から手入力により図３に示すような形式のファイルを設定情報４としてホームゲートウェイに入力する。これによりホームゲートウェイ１に接続されている機器の名称と、接続ポート番号を対応付けることが可能となり、使用者が理解できる名称を用いて機器の制御、監視を行なうことができる。
【００１２】
また本実施の形態では、一般に機器の情報を個別に入力することは面倒であるため、ホームゲートウェイ１を、モデム５を介してインターネット６上の中央サーバ７に接続し、中央サーバ７にあらかじめ用意されている機器情報のマスターデータ８，９を参照することで容易に間違いなく機器情報を設定することができる。実際には、電気錠２の結線、接続確認を行なう段階でインターネット６に接続できない状況もある。そのため図４のシーケンス図に示す手順で設定情報の補完登録を行う。
【００１３】
まず、電気錠等の機器２とホームゲートウェイ１とを接続する（ステップＳ１）。ホームゲートウェイ１とパソコン１０を通信可能な状態として、パソコン１０からホームゲートウェイ１の設定情報４を手入力する（ステップＳ２）。この場合には、図２の表における接続ポート番号と区分名のみとして入力の手間の低減を図る。
【００１４】
次にホームゲートウェイ１は、インターネット６に接続し、入力された設定情報を中央サーバ７に送信する（ステップＳ３）。中央サーバ７は、機器情報のマスターデータ８，９を参照し（ステップＳ４）、パソコン１０から入力された設定情報の区分に適合するメーカ名、型番をサーチし、該当する情報があればダウンロードすることで型番等を確認し、入力間違いを防ぐとともに、一括管理できる名称であるか否かも確認する（ステップＳ５）。
【００１５】
ホームゲートウェイ１は中央サーバ７からダウンロードされた情報を設定情報４として登録し、接続されている機器２の設定情報を完全なものとする（ステップＳ６，Ｓ７）。
【００１６】
これにより、本実施の形態のネットワークシステムでは、制御信号線と状態監視線でしか接続できない接続機器が増設されたり変更されたりしても正確な機器情報の取得、保存が行え、このような接続機器に対してもホームゲートウェイ１による集中監視、制御が行える。
【図面の簡単な説明】
【００１７】
【図１】本発明の１つの実施の形態のブロック図。
【図２】本発明の１つの実施の形態において用いる接続機器の設定情報の内容を表す表。
【図３】本発明の１つの実施の形態においてホームゲートウェイに入力される設定情報の入力例を示す説明図。
【図４】本発明の１つの実施の形態による機器情報の設定手順を表すシーケンス図。
【図５】従来例のブロック図。
【符号の説明】
【００１８】
１  ホームゲートウェイ
２  電気錠
３  エアコン
４  設定情報
５  モデム
６  インターネット
７  中央サーバ
８  機器情報マスタデータベース
９  機器情報管理データベス
１０  パソコン
【図１】
2006140802.tif 000003
【図２】
2006140802.tif 000004
【図３】
2006140802.tif 000005
【図４】
2006140802.tif 000006
【図５】
2006140802.tif 000007